(57)【要約】【課題】階層符号化処理が施されているデータを復調する場合低消費電力化を図ることができる無線通信端末を提供すること。【解決手段】基本層のデータまたは拡張層のデータを構成するサブキャリアがシンボル毎にデータ信号を含み、サブキャリアを復調する際に、位相平面上のパイロット信号に基づいてデータ信号を補正する等化器１３３と、信号点の位置から特定される基本層のデータ、拡張層のデータのうち基本層のデータを復調、復号する復調器１３４、復号器１３５と、基本層のデータ、拡張層のデータのうち拡張層のデータを復調、復号する復調器１３６、復号器１３７と、非節電モードで復調器１３４、復号器１３５を駆動させると共に復調器１３６、復号器１３７を停止させ、節電モードで復調器１３４、復号器１３５および復調器１３６、復号器１３７を駆動させる制御部とを備えるように構成する。【選択図】図２
2010004102.tif 000002
【特許請求の範囲】
【請求項１】
直交周波数分割多重方式で送信されるキャリアのうち基本層のデータまたは拡張層のデータを含むサブキャリアがデータ信号を含んでおり、前記サブキャリアを復調する際に、前記キャリアのパイロット信号に基づいて前記データ信号を補正する等化部と、
前記等化部で補正された前記基本層のデータおよび前記拡張層のデータのうち前記基本層のデータを処理する基本層データ処理部と、
前記等化部で補正された前記基本層のデータおよび前記拡張層のデータのうち前記拡張層のデータを処理する拡張層データ処理部と、
節電モードで前記基本層データ処理部を駆動させると共に前記拡張層データ処理部を停止させ、非節電モードで前記基本層データ処理部および前記拡張層データ処理部を駆動させる制御部とを備えたことを特徴とする無線通信端末。
【請求項２】
前記等化部は、１つのＯＦＤＭシンボルの少なくとも１以上のパイロット信号に基づいて前記データ信号を補正する低精度等化部と、
複数のＯＦＤＭシンボルの少なくとも１以上のパイロット信号に基づいて前記データ信号を補正する高精度等化部と、を有し、
前記節電モードで、前記制御部は、前記低精度等化部および前記基本層データ処理部を駆動させると共に前記高精度等化部および前記拡張層データ処理部を停止させることを特徴とする無線通信端末。
【請求項３】
前記非節電モードで、前記制御部は、前記高精度等化部、前記基本層データ処理部、および前記拡張層データ処理部を駆動させると共に前記低精度等化部を停止させることを特徴とする無線通信端末。
【発明の詳細な説明】
【技術分野】
【０００１】
本発明は、直交周波数分割多重方式で通信する無線通信端末に関する。
【背景技術】
【０００２】
近年、携帯電話機、地上デジタル放送、または無線ＬＡＮなどで用いられる無線通信方式として、直交周波数分割多重方式（ＯＦＤＭ：Orthogonal Frequency Division Multiplexing）に関する技術が数多く提案されている。
【０００３】
図８は、従来の無線通信端末の受信部のブロック図である。図８に示した従来の無線通信端末は、ＲＦフロントエンド部１２、ＯＦＤＭ復調部８３、映像・音声復号部１４、表示部１５、およびスピーカ１６を備えている。
【０００４】
ＲＦフロントエンド部１２は、アンテナ１１を介して受信した無線信号を増幅、フィルタリング、ダウンコンバート、および自動周波数制御（ＡＦＣ）等を行うようになっている。ＯＦＤＭ復調部８３は、入力された直交周波数分割多重方式の信号を復調するようになっている。
【０００５】
映像・音声復号部１４は、復調されたデジタルデータを映像データまたは音声データに復号するようになっている。表示部１５は、復号されたデジタルデータを映像として表示するようになっている。スピーカ１６は、復号されたデジタルデータを音声として出力するようになっている。
【０００６】
図９は、上述した従来のＯＦＤＭ復調部のブロック図である。ＯＦＤＭ復調部８３は、直交検波器８３１、ＦＦＴ部８３２、チャネル等化器８３３、サブキャリア復調器８３６、およびチャネル復号器８３７を備えている。
【０００７】
直交検波器８３１は、ＲＦフロントエンド部１２から入力された信号を検波して直交復調すると共にＡ／Ｄ変換するようになっている。ＦＦＴ部８３２は、直交検波器８３１から出力されたデータを周波数チャネル毎のデータ（各サブキャリアのデータ）に変換するＦＦＴ（Fast Fourier Transform）処理を行い、ＦＦＴ処理して得られた各サブキャリアを出力するようになっている。
【０００８】
チャネル等化器８３３は、パイロット信号を用いて伝送路特性を推定し、推定した伝送路特性に基づいた補正をサブキャリアに対して行うようになっている。
【０００９】
次に、等化処理について、さらに詳細に説明する。図１０は、ＯＦＤＭを用いた通信方式の信号を構成する各サブキャリアを示したものである。図１０に示すように、各サブキャリアは、データサブキャリアを含む。
【００１０】
図１１は、ＦＦＴ出力されたパイロット信号を位相平面（複素平面）上にベクトルとして示したものである。送信される前のパイロット信号は、ベクトルＲで表現されており、送信側および受信側で既知であり、受信側でそのままのベクトルＲで表現されるベクトルとして受信されるのが理想である。
【００１１】
しかしながら、無線の伝送路でノイズまたはマルチパスが発生することにより、または受信側のＡＦＣの処理で誤差が生じる等により、ベクトルＲ’として受信されてしまう。等化処理は、ベクトルＲ’をベクトルＲになるように位相方向の補正と振幅方向の補正を行うことによって元に戻す処理である。
【００１２】
受信側では、受信したときのパイロット信号から伝送路特性を推定し、推定した伝送路特性を用いてデータサブキャリアの等化処理が行われる。また、伝送路特性は、周波数・時間で変化するため、受信側では、複数のパイロット信号から推定された伝送路特性を用いてデータサブキャリアの補間が行われ、各データサブキャリアの伝送路特性を求めることもできる。
【００１３】
サブキャリア復調器８３６は、等化されたデータサブキャリア毎の信号点の位置でデジタルデータを特定するようになっている。チャネル復号器８３７は、データの誤り訂正処理およびデインターリーブ処理等を施すようになっている。
【００１４】
ところで、特許文献１では、階層符号化処理で映像の符号化データが基本層と付加層とに区分されており、無線通信端末が、その符号化データを受信した際、状況に応じて基本層に対応するデータのみを復号するように動作を制限して映像の符号化データを再生することができる（例えば、特許文献１参照）。例えば、基本層に対応するデータとしては、ＭＰＥＧに対応した動画データのＩフレーム等が該当し、付加層に対応するデータとしては、ＭＰＥＧに対応した動画データのＢフレーム及びＰフレーム等が該当する。
【特許文献１】特開２００３−２６４７６７号公報（請求項１６）
【発明の開示】
【発明が解決しようとする課題】
【００１５】
しかしながら、特許文献１に開示された従来の無線通信端末に、上述したキャリアに対して等化処理を行う方式を適用した場合、基本層に対応するデータのみを復号するだけで、十分に消費電力を節約することはできないという課題がある。
【００１６】
そこで、本発明は、従来の課題を解決するためになされたもので、階層符号化処理が施されている階層符号化データを復調する場合、従来のものと比較して低消費電力化を図ることができ、バッテリ駆動の端末においてさらに長時間利用を可能にする無線通信端末を提供することを目的とする。
【課題を解決するための手段】
【００１７】
本発明の無線通信端末は、直交周波数分割多重方式で送信されるキャリアのうち基本層のデータまたは拡張層のデータを含むサブキャリアがデータ信号を含んでおり、前記サブキャリアを復調する際に、前記キャリアのパイロット信号に基づいて前記データ信号を補正する等化部と、前記等化部で補正された前記基本層のデータおよび前記拡張層のデータのうち前記基本層のデータを処理する基本層データ処理部と、前記等化部で補正された前記基本層のデータおよび前記拡張層のデータのうち前記拡張層のデータを処理する拡張層データ処理部と、節電モードで前記基本層データ処理部を駆動させると共に前記拡張層データ処理部を停止させ、非節電モードで前記基本層データ処理部および前記拡張層データ処理部を駆動させる制御部とを備えた構成を有している。
【００１８】
この構成により、節電モードで基本層データ処理部を駆動させると共に拡張層データ処理部を停止させるため、階層符号化データを復調する場合、従来のものと比較して低消費電力化を図ることができ、バッテリ駆動の端末においてさらに長時間利用を可能にする。
【００１９】
また、本発明の無線通信端末は、前記等化部が、１つのＯＦＤＭシンボルの少なくとも１以上のパイロット信号に基づいて前記データ信号を補正する低精度等化部と、
複数のＯＦＤＭシンボルの少なくとも１以上のパイロット信号に基づいて前記データ信号を補正する高精度等化部と、を有し、前記節電モードで、前記制御部は、前記低精度等化部および前記基本層データ処理部を駆動させると共に前記高精度等化部および前記拡張層データ処理部を停止させる構成を有している。
【００２０】
この構成により、節電モードで、低精度等化部および基本層データ処理部を駆動させると共に高精度等化部および拡張層データ処理部を停止させるため、低消費電力化を図ることができる。
【００２１】
また、本発明の無線通信端末は、前記非節電モードで、前記制御部が、前記高精度等化部、前記基本層データ処理部、および前記拡張層データ処理部を駆動させると共に前記低精度等化部を停止させる構成を有している。
【００２２】
この構成により、非節電モードで、高精度等化部、基本層データ処理部、および拡張層データ処理部を駆動させると共に低精度等化部を停止させるため、低消費電力化を図ることができる。
【発明の効果】
【００２３】
本発明は、階層符号化データを復調する場合、従来のものと比較して低消費電力化を図ることができる無線通信端末を提供するものである。
【発明を実施するための最良の形態】
【００２４】
以下、本発明の実施の形態について、図面を参照して説明する。
【００２５】
（本発明の第１の実施の形態）
図１は、本発明の第１の実施の形態に係る無線通信端末の受信部のブロック図である。図１に示した無線通信端末は、ＲＦフロントエンド部１２、ＯＦＤＭ復調部１３、映像・音声復号部１４、表示部１５、スピーカ１６、入力部１７、バッテリ残量測定部１８、およびシステム制御部１９を備えている。本発明の実施の形態に係る無線通信端末は、例えば携帯電話機であり、受信部だけでなく送信部、映像の表示部や音声の出力部を含むように構成してもよいし、受像機のようなものでもよい。
【００２６】
ＲＦフロントエンド部１２は、アンテナ１１を介して受信した無線信号を増幅、フィルタリング、ダウンコンバート、および自動周波数制御（ＡＦＣ）等を行うようになっている。
【００２７】
図１に示した無線通信端末が受信するデータには、階層符号化処理が施されている。階層符号化処理とは、データを複数の階層に分割し、それぞれの階層毎に符号化するものである。例えば、ＭＰＥＧに対応した動画データの符号化においては、動画を構成する複数のフレームのうち基本フレーム（Ｉフレーム）のデータが基本層として符号化され、基本フレームでないフレームのデータが拡張層として符号化される形態がありえる。
【００２８】
階層符号化処理がなされている場合、基本層のデータのみでも動画データが再生可能であり、さらに拡張層のデータを用いるとさらに高画質な動画が再生可能である。階層符号化データは、階層毎に変調方式および誤り訂正方式が異なって伝送されることもある。
【００２９】
一般的には、基本層のデータが誤りに強い方式で伝送され、拡張層のデータが誤りには弱いが伝送効率の良い方式で伝送される。このような方式で伝送することにより、図１に示した無線通信端末は、受信状態が良ければ、基本層および拡張層の双方のデータを用いて高画質なデータを再生することができ、受信状態が悪くても、基本層だけのデータを用いて最低限のデータを再生することができる。
【００３０】
ＯＦＤＭ復調部１３は、階層符号化処理に対応したものであり、入力された直交周波数分割多重方式の信号を復調するようになっている。ＯＦＤＭ復調部１３の詳細を図２に示す。
【００３１】
図２に示したＯＦＤＭ復調部１３は、直交検波器１３１、ＦＦＴ部１３２、チャネル等化器１３３、基本層キャリア復調器１３４、基本層チャネル復号器１３５、拡張層キャリア復調器１３６、および拡張層チャネル復号器１３７を備えている。
【００３２】
直交検波器１３１は、ＲＦフロントエンド部１２から入力された信号を検波して直交復調すると共にＡ／Ｄ変換するようになっている。ＦＦＴ部１３２は、直交検波器１３１によって出力されたデータを周波数チャネル毎のデータ（各サブキャリアのデータ）に変換するＦＦＴ処理を行い、ＦＦＴ処理して得られた各サブキャリアを出力するようになっている。
【００３３】
チャネル等化器１３３は、パイロット信号を用いて伝送路特性を推定し、推定した伝送路特性に基づいた補正をデータサブキャリアに対して行うようになっている。詳細は、図１０および図１１にて上述した通りである。
【００３４】
図３は、階層符号化処理を行うときのサブキャリア毎の基本層、拡張層のデータの割り付けの一例である。この信号点の配置では基本層のデータを各位相象限に割り当てている。図３では、第１象限は４ビットのうち基本層のデータとして上位２ビットを「００」で割り当て、第２象限は４ビットのうち基本層のデータとして上位２ビットを「１０」で割り当て、第３象限は４ビットのうち基本層のデータとして上位２ビットを「１１」で割り当て、第４象限は４ビットのうち基本層のデータとして上位２ビットを「０１」で割り当てている。
【００３５】
また、拡張層のデータをそれぞれの位相象限内の特定の位置に、４ビットのうち下位２ビットを割り当てている。図３から明らかなように基本層のデータは、位相情報のみでデータが判定できる。これに対して拡張層は、位相、振幅の大きさから判定するため、基本層の方が誤りに強い配置となっている。
【００３６】
基本層キャリア復調器１３４は、位相平面の基本層の位置からデジタルデータを特定することで基本層の各サブキャリアのデータを復調するようになっている。基本層チャネル復号器１３５は、基本層のデータの誤り訂正処理およびデインターリーブ処理等を施すようになっている。
【００３７】
拡張層キャリア復調器１３６は、位相平面の拡張層の位置からデジタルデータを特定することで低拡張層の各サブキャリアのデータを復調するようになっている。拡張層チャネル復号器１３７は、拡張層のデータの誤り訂正処理およびデインターリーブ処理等を施すようになっている。
【００３８】
映像・音声復号部１４は、復調されたデジタルデータを映像データまたは音声データに復号するようになっている。表示部１５は、復号されたデジタルデータを映像として表示するようになっている。スピーカ１６は、復号されたデジタルデータを音声として出力するようになっている。入力部１７は、利用者からのキー入力を受け付けるようになっている。
【００３９】
バッテリ残量測定部１８は、無線通信端末のバッテリ（図示していない）の残量を測定するようになっている。システム制御部１９は、無線通信端末に搭載された部材を制御するようになっている。
【００４０】
以上のように構成された本発明の第１の実施の形態に係る無線通信端末の動作について図面を用いて説明する。
【００４１】
まず、データを復調する際に、非節電モードおよび節電モードの何れかが選択されるようになっている。
【００４２】
例えば、定期的にバッテリ残量がシステム制御部１９にて監視されており、バッテリ残量測定部１８によって測定された残量が所定の値よりも小さい場合、システム制御部１９にて節電モードが選択され、バッテリ残量測定部１８によって測定された残量が所定の値以上である場合、システム制御部１９にて非節電モードが選択されてもよい。また、復調するデータを長時間に視聴等する場合、利用者が入力部１７を介してキー操作を行うなどしてシステム制御部１９にて節電モードが選択されてもよい。
【００４３】
非節電モードが選択された場合、拡張層と基本層のデータ両方が復調されるため、システム制御部１９は、基本層キャリア復調器１３４、基本層チャネル復号器１３５、拡張層キャリア復調器１３６、および拡張層チャネル復号器１３７を動作（電源ＯＮ）させる。
【００４４】
ここで、無線通信端末が無線信号を受信した場合、ＦＦＴ部１３２によって出力された各サブキャリアは、チャネル等化器１３３に入力され、チャネル等化器１３３は、ＦＦＴ部１３２から出力されたサブキャリアに対し伝送路特性を推定し、推定した伝送路特性を用いて等化処理を行う。次に、チャネル等化器１３３から出力されたデータが、基本層のデータである場合、基本層キャリア復調器１３４および基本層チャネル復号器１３５で処理される。チャネル等化器１３３から出力されたデータが、拡張層のデータである場合、拡張層キャリア復調器１３６および拡張層チャネル復号器１３７で処理される。
【００４５】
また、節電モードが選択された場合、基本層のデータだけが復調されるため、システム制御部１９は、基本層キャリア復調器１３４および基本層チャネル復号器１３５を動作（電源ＯＮ）させ、拡張層キャリア復調器１３６および拡張層チャネル復号器１３７を停止（電源ＯＦＦ）させる。
【００４６】
ここで、無線通信端末が無線信号を受信した場合、ＦＦＴ部１３２によって出力された各サブキャリアは、チャネル等化器１３３に入力され、チャネル等化器１３３は、ＦＦＴ部１３２から出力されたサブキャリアに対し伝送路特性を推定し、推定した伝送路特性を用いて等化処理を行う。次に、チャネル等化器１３３から出力されたデータが、基本層のデータである場合、基本層キャリア復調器１３４および基本層チャネル復号器１３５で処理される。チャネル等化器１３３から出力されたデータが、拡張層のデータである場合は、処理されない。
【００４７】
以上説明したように、従来の無線通信端末では、階層符号化データを受信した際、状況に応じて基本層に対応するデータのみを復号するように動作を制限するだけであったが、本発明の第１の実施の形態に係る無線通信端末は、節電モードで基本層キャリア復調器１３４および基本層チャネル復号器１３５を駆動させると共に拡張層キャリア復調器１３６および拡張層チャネル復号器１３７を停止させ、非節電モードで基本層キャリア復調器１３４および基本層チャネル復号器１３５および拡張層キャリア復調器１３６および拡張層チャネル復号器１３７を駆動させるため、階層符号化データを復調する場合、従来のものと比較して低消費電力化を図ることができ、バッテリ駆動の端末においてさらに長時間利用を可能にする。
【００４８】
（本発明の第２の実施の形態）
図４は、本発明の第２の実施の形態に係る無線通信端末の受信部のブロック図である。なお、本発明の第２の実施の形態に係る無線通信端末の構成するブロックのうち、本発明の第１の実施の形態に係るブロックと同じものには、同じ符号を付し、それぞれの説明を省略する。
【００４９】
図４に示した無線通信端末は、ＲＦフロントエンド部１２、ＯＦＤＭ復調部２３、映像・音声復号部１４、表示部１５、スピーカ１６、入力部１７、バッテリ残量測定部１８、およびシステム制御部１９を備えている。
【００５０】
ＯＦＤＭ復調部２３は、階層符号化処理に対応したものであり、入力された直交周波数分割多重方式の信号を復調するようになっている。ＯＦＤＭ復調部２３の詳細を図５に示す。
【００５１】
ＯＦＤＭ復調部２３は、直交検波器１３１、ＦＦＴ部１３２、高精度チャネル等化器２３３、低精度チャネル等化器２３４、基本層キャリア復調器１３４、基本層チャネル復号器１３５、拡張層キャリア復調器１３６、および拡張層チャネル復号器１３７を備えている。
【００５２】
高精度チャネル等化器２３３は、ＦＦＴ部１３２から出力されたサブキャリアに対し伝送路特性を高精度に推定し、推定した伝送路特性を用いて等化処理を行うようになっている。低精度チャネル等化器２３４は、ＦＦＴ部１３２から出力されたサブキャリアに対し伝送路特性を低精度に推定し、推定した伝送路特性を用いて等化処理を行うようになっている。次に、各チャネル等化器について詳細に説明する。
【００５３】
図１０に示したように、パイロット信号は、キャリア内の特定の位置に配置された既知の信号である。このパイロット信号の割合が多いほど、正確な伝送路推定が可能となるが、その分データに割り振ることができるデータサブキャリアが減ってしまい、データ伝送量が減ってしまう。このため、通常ではデータサブキャリアの数個から十数個程度に一つの割合でパイロット信号が挿入される。実際のデータを運ぶデータサブキャリアの伝送路特性は、パイロット信号から推定される。
【００５４】
図６は、サブキャリアの伝送路特性を推測する処理の説明図である。なお、図６は、図１０に基づいた図である。サブキャリアの伝送路特性を推測する最も簡単な方法としては、図６（Ａ）に示すようにパイロット信号の近傍のデータサブキャリアのグループの伝送路特性がすべて同じと仮定し、その範囲内のデータサブキャリアすべてを、パイロット信号で求めた伝送路特性を用いて等化するものである。この場合、グループ内での伝送路特性が大きく変化していると、等化処理が正確にできず、誤り率が大きくなってしまうこともある。
【００５５】
高精度な伝送路特性の推定方法の例としては、複数のパイロット信号を使用して、サブキャリア毎の伝送路特性を推定するものがある。この場合、図６（Ｂ）に示すようにデータサブキャリアの周辺の２つのパイロット信号から線形補間したり、複数のパイロット信号を用いて高次の補間方法を用いて求めることもできる。
【００５６】
さらに、図６（Ｃ）に示すように、パイロット信号による補間処理は、パイロット信号の挿入位置を時間方向（ＯＦＤＭシンボル方向）で変えることにより、時間方向からも補間して推定することができる。何れにしろ、正確な伝送路特性を求める場合には、多くの演算量が必要となる。
【００５７】
また、高精度チャネル等化器２３３または低精度チャネル等化器２３４は、サブキャリア毎に上述して推定された伝送路特性を用いて等化処理を行う。
【００５８】
ＱＰＳＫ（Quadrature Phase Shift Keying）やＢＰＳＫ（Binary Phase Shift Keying）では、位相のみでサブキャリアの信号を表しているため、正確な位相を判定できるように等化するだけでよく、等化処理としては、図７（Ａ）のように位相の補正だけでよい。しかし、ＱＡＭ（QuadratureAmplitude Modulation）のような方式では位相と振幅でサブキャリアの信号を表しており、等化処理としては、図７（Ｂ）に示すように位相の補正と正確な振幅の大きさを求めるための振幅の補正処理が必要となる。
【００５９】
ここでの高精度チャネル等化器２３３の例としては、図６（Ｃ）の伝送路特性推定と、図６（Ｂ）の等化処理を組み合わせたもの等があげられる。低精度チャネル等化器２３４の例としては、図６（Ｂ）の伝送路特性推定と図７（Ａ）の等化処理を組み合わせたもの等があげられる。なお、当然、これらの処理は、ハードウェアでなくソフトウェアでの実装も可能である。
【００６０】
このようにチャネルの等化処理にはさまざまな実現方式があり、それぞれの補間処理方式の選定、回路構成、ソフトの複雑さなどで演算量や消費電力に影響が及ぶ。
【００６１】
基本層キャリア復調器１３４は、高精度チャネル等化器２３３、低精度チャネル等化器２３４両方のチャネル等化器によって出力されたどちらかのデータを用いて、位相平面の基本層の位置からデジタルデータを特定することで基本層の各サブキャリアのデータを復調するようになっている。基本層チャネル復号器１３５は、基本層のデータの誤り訂正処理およびデインターリーブ処理等を施すようになっている。
【００６２】
拡張層キャリア復調器１３６は、高精度チャネル等化器２３３によって出力されたデータを用いて、位相平面の拡張層の位置からデジタルデータを特定することで低拡張層の各サブキャリアのデータを復調するようになっている。拡張層チャネル復号器１３７は、拡張層のデータの誤り訂正処理およびデインターリーブ処理等を施すようになっている。
【００６３】
以上のように構成された本発明の第２の実施の形態に係る無線通信端末の動作について図面を用いて説明する
まず、データを復調する際に、非節電モードおよび節電モードの何れかが選択されるようになっている。
【００６４】
例えば、定期的にバッテリ残量がシステム制御部１９にて監視されており、バッテリ残量測定部１８によって測定された残量が所定の値よりも小さい場合、システム制御部１９にて節電モードが選択され、バッテリ残量測定部１８によって測定された残量が所定の値以上である場合、システム制御部１９にて非節電モードが選択されてもよい。また、復調するデータを長時間に視聴等する場合、利用者が入力部１７を介してキー操作を行うなどしてシステム制御部１９にて節電モードが選択されてもよい。
【００６５】
非節電モードが選択された場合、拡張層と基本層のデータ両方が復調されるため、システム制御部１９は、高精度チャネル等化器２３３を動作させ、低精度チャネル等化器２３４を停止（電源ＯＦＦ）させておく。
【００６６】
ここで、無線通信端末が無線信号を受信した場合、ＦＦＴ部１３２によって出力された各サブキャリアは、高精度チャネル等化器２３３に入力され、高精度チャネル等化器２３３は、ＦＦＴ部１３２から出力されたサブキャリアに対し伝送路特性を高精度に推定し、推定した伝送路特性を用いて等化処理を行う。次に、高精度チャネル等化器２３３から出力されたデータが、基本層のデータである場合、基本層キャリア復調器１３４および基本層チャネル復号器１３５で処理される。高精度チャネル等化器２３３から出力されたデータが、拡張層のデータである場合、拡張層キャリア復調器１３６および拡張層チャネル復号器１３７で処理される。
【００６７】
また、節電モードが選択された場合、基本層のデータだけが復調されるため、システム制御部１９は、低精度チャネル等化器２３４を動作させ、高精度チャネル等化器２３３を停止（電源ＯＦＦ）させておくと共に、拡張層キャリア復調器１３６、拡張層チャネル復号器１３７を停止（電源ＯＦＦ）させる。
【００６８】
ここで、無線通信端末が無線信号を受信した場合、ＦＦＴ部１３２によって出力された各サブキャリアは、低精度チャネル等化器２３４に入力され、低精度チャネル等化器２３４は、ＦＦＴ部１３２から出力されたサブキャリアに対し伝送路特性を低精度に推定し、推定した伝送路特性を用いて等化処理を行う。次に、低精度チャネル等化器２３４から出力されたデータが、基本層のデータである場合、基本層キャリア復調器１３４および基本層チャネル復号器１３５で処理される。低精度チャネル等化器２３４から出力されたデータが、拡張層のデータである場合は、処理されない。
【００６９】
以上説明したように、本発明の第２の実施の形態に係る無線通信端末は、非節電モードで、高精度チャネル等化器２３３、基本層キャリア復調器１３４、基本層チャネル復号器１３５、拡張層キャリア復調器１３６、および拡張層チャネル復号器１３７を駆動させると共に低精度チャネル等化器２３４を停止させるため、低消費電力化を図ることができる。また、節電モードでも、基本層キャリア復調器１３４、基本層チャネル復号器１３５、および低精度チャネル等化器２３４を駆動させると共に、高精度チャネル等化器２３３、拡張層キャリア復調器１３６、および拡張層チャネル復号器１３７を停止させるため、低消費電力化を図ることができる。
【００７０】
すなわち、本発明の第２の実施の形態では、基本層、拡張層それぞれにより必要となる等化の精度が違うことに着目し、無線通信端末が、それぞれの階層に応じたチャネル等化器を用意し、切り換えて使用することにより、低消費電力化を図るものである。
【産業上の利用可能性】
【００７１】
本発明にかかる無線通信端末は、階層符号化処理が施されている階層符号化データを復調する場合、従来のものと比較して低消費電力化を図ることができ、バッテリ駆動の端末においてさらに長時間利用を可能にする効果を有し、直交周波数分割多重方式で通信する無線通信端末などとして幅広く有用である。
【図面の簡単な説明】
【００７２】
【図１】本発明の第１の実施の形態に係る無線通信端末の受信部のブロック図
【図２】本発明の第１の実施の形態に係るＯＦＤＭ復調部の詳細図
【図３】階層符号化処理を行うときのサブキャリア毎の基本層、拡張層のデータの割り付けの一例を示す図
【図４】本発明の第２の実施の形態に係る無線通信端末の受信部のブロック図
【図５】本発明の第２の実施の形態に係るＯＦＤＭ復調部の詳細図
【図６】サブキャリアの伝送路特性を推測する処理の説明図
【図７】本発明の第２の実施の形態に係る等化処理の説明図
【図８】従来の無線通信端末の受信部のブロック図
【図９】従来のＯＦＤＭ復調部のブロック図
【図１０】ＯＦＤＭを用いた通信方式の信号を構成する各サブキャリアを示した図
【図１１】ＦＦＴ出力されたパイロット信号を位相平面（複素平面）上にベクトルとして示した図
【符号の説明】
【００７３】
１１  アンテナ
１２  ＲＦフロントエンド部
１３、２３、８３  ＯＦＤＭ復調部
１４  映像・音声復号部
１５  表示部
１６  スピーカ
１７  入力部
１８  バッテリ残量測定部
１９  システム制御部（制御部）
１３１  直交検波器
１３２  ＦＦＴ部
１３３  チャネル等化器（等化部）
１３４  基本層キャリア復調器（基本層データ処理部）
１３５  基本層チャネル復号器（基本層データ処理部）
１３６  拡張層キャリア復調器（拡張層データ処理部）
１３７  拡張層チャネル復号器（拡張層データ処理部）
２３３  高精度チャネル等化器（高精度等化部）
２３４  低精度チャネル等化器（低精度等化部）
８３１  直交検波器
８３２  ＦＦＴ部
８３３  チャネル等化器
８３６  サブキャリア復調器
８３７  チャネル復号器
【図１】
2010004102.tif 000003
【図２】
2010004102.tif 000004
【図３】
2010004102.tif 000005
【図４】
2010004102.tif 000006
【図５】
2010004102.tif 000007
【図６】
2010004102.tif 000008
【図７】
2010004102.tif 000009
【図８】
2010004102.tif 000010
【図９】
2010004102.tif 000011
【図１０】
2010004102.tif 000012
【図１１】
2010004102.tif 000013